(57)【要約】【課題】      ズボンの後身頃においてヒップ下方の余り部分を取り除くとともに、ヒップポイントを高くするようにして、後身頃につけられるクリースラインが直線的に真直ぐ伸びるようにして、ヒップが上がって見えるようにした美しいシルエットの作れるズボンを提供する。【解決手段】  ズボンの左右の後身頃において、それぞれの股部を各後身頃本体１１から切離された略三角形状のマチ１２としており、マチは後身頃本体と縫合される縫合せ縁１２ａに接着テープ１３が接着されており、マチと縫合される後身頃本体の切離し縁１１ａはカーブまたは折曲しており、切離し縁の長さがマチの縫合せ縁の長さよりも５〜１２mm短かい。【選択図】    図４
2005179833.tif 000002
【特許請求の範囲】
【請求項１】
ズボンの左右の後身頃において、それぞれの股部を各後身頃本体から切離された略三角形状のマチとしており、該マチは後身頃本体と縫合される縫合せ縁に接着テープが接着されており、前記マチと縫合される後身頃本体の切離し縁はカーブまたは折曲しており、該切離し縁の長さが前記マチの縫合せ縁の長さよりも５〜１２mm短かいことを特徴とするズボン。
【請求項２】
前記マチの縫合せ縁が直線状であることを特徴とする請求項１記載のズボン。
【請求項３】
該切離し縁の長さが前記マチの縫合せ縁の長さよりも７〜１０mm短かいことを特徴とする請求項１または２記載のズボン。
【請求項４】
前記マチの内股縫い目の縁に補強テープが設けられていることを特徴とする請求項１〜３のいずれか１項に記載のズボン。
【発明の詳細な説明】
【技術分野】
【０００１】
本発明はズボンに関するものである。
【背景技術】
【０００２】
従来、通常のパターン（型紙）によって製作したズボンはヒップ下方部分に布地の余り（弛み）があり、そのヒップ下方部分に皺が生じ、図１（ｂ）に示すようにクリースライン（折り目）の部分がヒップの下の部分で皺のため屈曲してしまう。そのためズボンを着用した状態で後から見るとクリースラインがヒップから足元まで真直ぐに伸びている状態ではないので、ヒップが下がって見えてしまい美しいシルエットとならない。
【０００３】
そのため特開昭５６−８５４０３号公報（特許文献１）には、このようなヒップ下部の布地の余り部分を取ることが提案されている。この公報によれば、ズボンの後身頃において内側縫合線を通常のズボンのパターンにおけるよりも内側に大きく中凹みの弧状に形成するとともに、ヒップ線よりも下方に小股縫合線を位置させ、この小股縫合線をヒップ線より下方に向けて中凹み状態の弧状に形成して、仕立てるようにしている。これによってヒップ下部の弛み部分を取ろうとすることが提案されている。
【０００４】
またこれとは別に特開昭４６−７８２５号公報（特許文献２）においては、ズボンの後身頃において、ズボンの股部が尻部に割込まないようにするために股部となる箇所を通常の場合よりも下方に下げるとともに、股部の箇所を切離した三角形状の縫合わすべき縁の長さとズボンの身頃本体との縫合わすべき縁の長さとを同じ長さとすることが提案されている。このようにすることにより尻部に割込まないぴったり合ったズボンを作ることが提案されている。
【０００５】
【特許文献１】特開昭５６−８５４０３号公報
【特許文献２】特開昭４６−７８２５号公報
【発明の開示】
【発明が解決しようとする課題】
【０００６】
前述した特許文献１に開示された技術によれば、ヒップ下方の布地の弛み部分は或る程度は取れるが、内股縫合線および小股縫合線が内方に向って大きく中凹み状態の弧状であるために、図面で示されているように、その両者が交差する箇所が尖った形状となってしまう。このような形状であるため着用した際に、この尖った形状がズボンの内側に向って突出したような状態となり、着用感が悪いものとなってしまう。また、このように内側縫合線を内方に大きく中凹みの弧状にしているため、これと縫合わせる前身頃の内股部分に無理が掛かった状態となっているため、アイロンで修正したとしても前身頃の内股部分には皺が表れてしまうという問題がある。
【０００７】
特許文献２に開示されている技術によって縫製した場合は、ヒップ下方の弛み部分は僅かに取れるものであるが、図１（ｃ）に示すように、後身頃の内股部分に皺がよってしまうという問題がある。このため、ズボンを着用した状態で後から見た場合、内股部分の皺が目立って美しいシルエットとならない。
【０００８】
本発明はズボンの後身頃においてヒップ下方の余り部分を取り除くとともに、ヒップポイント（ヒップの頂部）を高くするようにして、後身頃につけられるクリースラインが直線的に真直ぐ伸びるようにする。これにより後から見た時の視線が高くなり、ヒップが上がって見えるようにした美しいシルエットの作れるズボンを提供することを目的とするものである。
【課題を解決するための手段】
【０００９】
本発明はズボンの左右の後身頃において、それぞれの股部を各後身頃本体から切離された略三角形状のマチとしており、該マチは後身頃本体と縫合される縫合せ縁に接着テープが接着されており、前記マチと縫合される後身頃本体の切離し縁はカーブまたは折曲しており、該切離し縁の長さが前記マチの縫合せ縁の長さよりも５〜１２mm短かいことを特徴とするズボンにより前記目的を達成するものである。
【００１０】
前記マチの縫合せ縁は直線状であることが好ましく、また、後身頃本体の切離し縁の長さが前記マチの縫合せ縁の長さよりも７〜１０mm短かいことが好ましい。更に、柔らかな生地の場合などは前記マチの内股縫い目の縁に補強テープが設けられていることが好ましい。
【発明の効果】
【００１１】
本発明のズボンでは、ヒップ下部の余り部分がなくなっているとともに、高いヒップポイントが構成されているので、このズボンを着用すると下から上まで真直ぐにクリースラインが伸びており、ヒップポイントも高いので足が長く見え、綺麗なシルエットが得られる。
【００１２】
本発明によれば、後身頃を身頃本体と三角形のマチとに分離し、しかも両者を縫合せる縁をマチの縫合せ縁が長く後身頃本体の切離し縁を短くしており、両者の差は５〜１２mm程度としている。これにより通常のズボンにおいて生じるヒップ下方の余り部分が除かれた状態となる。そして三角マチの縫合せ縁は直線状または極めて緩やかなカーブであり、他方の身頃本体の切離し縁は屈曲した状態またはカーブを描いている状態となっている。このように曲がったものと直線状のものとを縫合せることにより膨らみ部を生じさせており、この膨らみ部はズボンを着用した際に着用者のヒップの膨らみに合致して移動し、ヒップポイントを高くしている。
【００１３】
本発明によれば、マチは後身頃本体と縫合される縫合せ縁に接着テープが接着されているので、長さが短い切離し縁と縫合せても、マチの縫合せ縁は縮まらず、上述の膨らみ部を確実に形成できる。
【００１４】
本発明によれば、内股線の長さおよび後中心線の長さはオリジナルの型紙で予定される長さと全く同じであるので、寸法的に予定した着用者の体型に合ったものとなっている。また、内股線も通常の形状であるので、縫合せる前身頃と従来と同様に容易に縫合せることができる。
【発明を実施するための最良の形態】
【００１５】
図１（ａ）は本発明の技法により製作したズボンの後から見た背面図であり、（ｂ）は従来の技法により製作したズボンの背面図であり、（ｃ）は特許文献２の技法により製作したときのズボンの背面図である。図１に示すように、本発明によればクリースラインが下から上方まで真直ぐ伸びており、後から見た際に足が長く見えるとともにすっきりとヒップが上がって見えるものである。これに対して図１（ｂ）のように従来のものでは、ヒップ下方に皺が出るためクリースラインもその部分で曲がりくねった状態となっており、ヒップが下がって見えてしまうものである。また、図１（ｃ）に示すように、特許文献２の技法によって縫ったズボンでは、後身頃の内股部分の箇所に皺がどうしても出てしまうため、見た目が悪いものとなってしまうものである。
【００１６】
図２はヒップ下方の余り部分の箇所と、どのようにして取除くかを概略的に説明するためのズボンの後身頃上部の概略的説明図である。図２（ａ）は従来のパターンにおいて斜線を施した部分ａがヒップ下方の部分に相当する箇所であり、このパターンでズボンを製作した場合に余り部分となって皺が出る箇所を示しているものである。
【００１７】
図２（ｂ）は本発明の実施例によって斜線部分をパターン上において折畳んで、この部分を取除くとともに、重なり合った部分ｃが形成されるようにすることにより、立体的な内股ラインと高いヒップポイントを構成するようにするものである。このようにすることにより、余り部分が解消され、ストレートに延びるクリースライン３を形成しようとするものである。図２（ｃ）は本発明の別の形態の実施形態であり、図２（ｂ）と異なって斜線部分ｂの三角形状が、その三角形の頂点が内股線２側に寄っている点およびその三角形の頂点に向って重なり合った部分ｃが形成されているものである。
【００１８】
このように本発明では図２（ａ）に示すヒップ下の余り部分となる斜線部分ａを取り除くため、その除去される三角形の斜線部分ｂの頂点はクリースライン３付近から内股線２寄りの部分までの間にあればよい。また、前記斜線の三角形の頂点から延びる重なり合った部分ｃの端部が渡り線６（図３参照）付近の箇所に位置するようにすればよい。
【００１９】
図３は、本発明のズボンを製作するために使用するパターンを作るための工程を示す説明図であり、後身頃の上部のみを図示している。図３（ａ）は従来から使用されている標準のパターンを示すものであり、符号１は脇線を示し、符号２は内股線を示している。符号３はクリースライン、符号４は後中心線、符号５はヒップライン、符号６は渡り線である。前記したような各線は従来のパターンで使用されているものである。本発明によれば、渡り線６より下方に渡り線と平行に線分７を引く。線分７の位置はヒップ下方の余りが生じる箇所に対応するものであり、一般的なパターンでは渡り線６と線分７との間の距離は１５cm前後が適当である。この線分７とクリースライン３との交点をＡ、脇線１との交点をＢ、内股線２との交点をＣとする。また、後中心線４と内股線２との交点をＰとする。
【００２０】
次に図３（ｂ）において、後中心線４から外側に１．５cmの間隔をおいて後中心線４と平行に線分８を引く。この線分８と後中心線４との交点をＤとする。そして点ＡとＤとを結ぶ線分９を引く。
【００２１】
なお、図３（ｂ）において、後中心線４と平行な線分８との間隔を１．５cmとしているが、この数値に限定されることはなく、渡り線６と後中心線との交点付近にＤが位置するようにすることが好ましい。図２（ｃ）のような場合は、点Ａの位置が線分７上でクリースライン３から内股線２側に移動させたものである。
【００２２】
図３（ｃ）においては、点Ｄ、Ａ、Ｃ、Ｐで囲まれる四角形状の部分を点Ａを中心として反時計方向に回転させ、後中心線４の部分が１cmの重なりが出るように回転させた状態である。すなわち、図３（ｂ）の点Ｄ、Ａ、Ｃ、Ｐで囲まれた四角形部分は上記反時計方向回転により図３（ｃ）においてはＤ′、Ａ、Ｃ′、Ｐ′で囲まれた四角い部分になり、点Ｄと点Ｄ′との間隔が１cmとなるようにしている。このため真直ぐに引いた線分７の点Ａから右側の部分は開いた状態になり、点Ｃは点Ｃ′の箇所に移動した状態となる。なお、重なり分（点Ｄと点Ｄ′との間隔）の幅は１cmに限定されないが、図３（ｉ）における後身頃本体１１の切り離し縁と三角マチの縫合せ縁１２ａの長さの差が５〜１２mm、好ましくは７〜１０mmとなるようにする必要があるので、おおよそ１cm前後の幅となる。
【００２３】
次に図３（ｄ）において、点Ｂと点Ｃ′を結ぶ線分７′を引く。この図において点Ｂ、Ａ、Ｃ′で囲まれた部分は高さの低い三角形状となっている。次に図３（ｅ）に示すように、線分７（点Ｂ、Ｃを結ぶ線）から下方の部分と点Ｂ、Ａ、Ｃ′より上方の部分とを繋ぎ合わせる。この際、線分７と線分７′とが一致するようにして上下のパーツを付き合わせる。このようにすると低い三角形△ＢＡＣ′は取り除かれた状態となる。この△ＢＡＣ′は図２（ｂ）の斜線部分ｂに相当するものであり、点Ａ、Ｄ、Ｄ′で囲まれた部分が図２（ｂ）の重なり合った部分ｃに相当する。
【００２４】
図３（ｆ）は図３（ｅ）の一部分を拡大して示した図である。この図において、点Ｃ′と点Ｄ′を結ぶ直線を引く。この直線Ｃ′Ｄ′が後身頃切替時のガイドラインである。そして線分Ｃ′Ｄ′の中間点をＥとする。この実施例ではＥは線分Ｃ′Ｄ′の丁度１／２に当たる位置にとっている。次に、この点Ｅと点Ｄとを結ぶ線分を引く。この時、点Ｄ、Ｅ、Ｃ′を結ぶ線分は屈曲した線となっている。次に図３（ｇ）においては、点Ｄ、Ｅ、Ｃ′を緩い大きなカーブを描く曲線で結ぶ。
【００２５】
次に図３（ｈ）のように、脇線１、内股線２およびその他の基線３、５、６を整える。すなわち、図３（ｅ）において、上下のパーツを繋ぎ合せたことにより、これらの基線３、５、６が移動し、図３（ｈ）に点線で示したような位置になっているので、これらの位置を正しく垂直および水平な位置に整えるものである。
【００２６】
そして図３（ｉ）に示すように、各パーツを切離したものを製作する。このパーツは、後身頃本体部１１と三角形のマチ１２である。これらの切離し線は後身頃本体１１においてＤとＣ′を結ぶ線は図３（ｇ）に示したような緩やかな曲線、或いは図３（ｆ）で示したように直線Ｄ、Ｅおよび直線Ｅ、Ｃ′を結ぶ屈曲した線に沿って切離す（切離し縁１１ａとなる）。一方、略三角形のマチ１２においては点Ｃ′と点Ｄ′を結ぶ直線または直線に近いカーブに沿って切離す（縫合せ縁１２ａとなる）。切離されたマチ１２の縫合せ縁１２ａの長さは後身頃本体１１の切離し縁１１ａの長さより長く、両者の差は５〜１２mm、好ましくは７〜１０mmである。
【００２７】
この切離された三角形のマチ１２は図３（ｆ）の点Ｄ′、Ｃ′、Ｐ′で囲まれた部分からなるものである。この三角形マチ１２の形は図３（ｂ）において、点Ｄ、Ｃ、Ｐで囲まれた部分と全く同じ形状である。従って、後身頃本体１１とマチ１２とを縫合せると、後中心線と内股線の長さはそれぞれ図３（ａ）に示した元のパターンと同じ長さとなる。そして、図３（ｉ）に示したパターンに基いて生地を裁断する。
【００２８】
次に図４に基いて、裁断された後身頃本体１１と三角形マチ１２との縫製工程を説明する。図４は裁断された生地の裏側から見たものを示しているので、図３に示したものとは左右が逆になっている。
【００２９】
図４（ａ）に示すように、三角形のマチ１２における縫合せ縁１２ａに幅１５mm位の接着テープ１３を接着する。この三角形マチ１２の縫合せ縁１２ａと後身頃本体１１の切離し縁１１ａが縫合されることになる。次に図４（ｂ）に示すように、三角マチの縫合せ縁１２ａと後身頃本体の切離し縁１１ａの箇所にロックミシン１４、１５をかける。
【００３０】
次に図４（ｃ）に示すように、三角マチ１２を下側にし、後身頃本体１１が上側になるようにして中表で重ね合せる。左後身頃を縫う場合でも、右後身頃を縫う場合でも、何れの場合であっても縫合せるときは三角マチ１２が下側になるようにパーツをセットする。なお、この図４（ｃ）においては、後身頃本体１１および三角マチ１２は図４（ｂ）に示したものと上下が逆様に描かれているが、これはミシンをかける際の状態を示しているためである。
【００３１】
このミシンをかけるときは、後身頃本体１１の切離し縁１１ａの方が三角マチ１２の縫合せ縁１２ａよりも短いために、後身頃本体１１の切離し縁１１ａを身頃側に伸ばすようにしながら三角マチ１２の縫合せ縁１２ａと縫合わせる。マチ１２は縫合せ縁１２ａに接着テープが接着されているので、長さが短い切離し縁１１ａと縫合せても、マチ１２の縫合せ縁１２ａは縮まらない。
【００３２】
次に図４（ｄ）に示すように、三角マチ１２側を平らに置いて、縫目１６を割った後、縫目１６に沿って図４（ｄ）に示す斜線の部分を平らに押さえるようにしてアイロンをかける。このようにすると、後身頃本体１１は矢印Ｓに示すように地の目が弓なりに曲がった状態となる。なお、後身頃本体１１側のアイロンをかける部分の幅は、縫目１６から約５cm程度の幅があればよい。
【００３３】
次に柔らかい生地などの場合は、図４（ｅ）に示すように、内股縫目に沿って幅１５mm位の補強テープ１７を貼ることが好ましい。この場合、三角マチ１２の箇所だけに補強テープ１７が貼られていてもよいが、この補強テープ１７が後身頃本体１１の箇所にまで延びている方が好ましい。この三角マチ１２の下端から後身頃本体１１に延長された延長部分の長さは、例えば１０cm程度でよい。
【００３４】
そして、図４（ｆ）に示すように、後身頃の周縁にロックミシンをかけて後身頃を仕上げる。図４（ｆ）に示すように、マチ１２の内股線の箇所および後身頃本体１１の脇線の部分を平らに真直ぐにした状態にすると、縫合せた縫目線１６の付近の２つのハの字の線で表わした領域ｄはパターンにおいて重なり合った部分となっているところであり、平らにならず、浮き上がった状態（膨らんだ状態）となる。
【００３５】
この浮き上がった状態となる部分は、出来上がったズボンを履いたときには、この部分が着用者のヒップの厚みにより内股線側からヒップ側（クリースライン方向）に移動し、そのためヒップポイントが高くなった状態となる。
【図面の簡単な説明】
【００３６】
【図１】図１（ａ）は本発明の技法により製作したズボンの後から見た背面図であり、（ｂ）は従来の技法により製作したズボンの背面図であり、（ｃ）は特許文献２の技法により製作したときのズボンの背面図である。
【図２】ヒップ下方の余り部分の箇所と、どのようにして取除くかを概略的に説明するためのズボンの後身頃上部の概略的説明図である。図２（ａ）は従来のパターン、図２（ｂ）は本発明の一実施例の場合、図２（ｃ）は本発明の別の実施例の場合を示す。
【図３】図３は、本発明のズボンを製作するために使用するパターンを作るための工程を示す説明図である。
【図４】裁断された後身頃本体と三角形マチとの縫製工程を示す説明図である。
【符号の説明】
【００３７】
ａ  ヒップ下方の余り部分
ｂ  取り除く部分
ｃ  重なり部分
１  脇線
２  内股線
３  クリースライン
４  後中心線
６  渡り線
１１  後身頃本体
１２  マチ
１１ａ  切離し縁
１２ａ  縫合せ縁
１３  接着テープ
【図１】
2005179833.tif 000003
【図２】
2005179833.tif 000004
【図３】
2005179833.tif 000005
【図４】
2005179833.tif 000006